(57)【要約】【課題】  換気装置を障子の見込み内に納めた建具の提供。【解決手段】  枠１と障子２ａ，２ｂとを備え、障子２ａ，２ｂは框３の内周側に沿って換気装置４を有し、換気装置４は、室外に面した換気口５と、換気口５を開閉する内開き式の扉６を有し、換気装置４が框３の見込み寸法内に納まっている。【選択図】      図１２
2017089367.tif 000002
【特許請求の範囲】
【請求項１】
枠と障子とを備え、障子は框の内周側に沿って換気装置を有し、換気装置は、室外に面した換気口と、換気口を開閉する内開き式の扉を有し、換気装置が框の見込み寸法内に納まっていることを特徴とする建具。
【発明の詳細な説明】
【技術分野】
【０００１】
本発明は、障子に換気装置が組み込まれた建具に関する。
【背景技術】
【０００２】
特許文献１には、引違いサッシの内障子２の下框２ｂの内周側に沿って換気用小窓４を設け、換気用小窓４を開けることで障子を閉めたままで換気が行えるサッシが記載されている。換気用小窓４は、見込み寸法が下框２ｂの見込み寸法よりも大きく、下框２ｂの室内側面より換気用小窓４が室内側に飛び出すため、外障子３には換気用小窓４を設置することができなかった。
【先行技術文献】
【特許文献】
【０００３】
【特許文献１】特許第３６１９９９７号公報
【発明の概要】
【発明が解決しようとする課題】
【０００４】
本発明は以上に述べた実情に鑑み、換気装置を障子の見込み内に納めた建具の提供を目的とする。
【課題を解決するための手段】
【０００５】
上記の課題を達成するために請求項１記載の発明による建具は、枠と障子とを備え、障子は框の内周側に沿って換気装置を有し、換気装置は、室外に面した換気口と、換気口を開閉する内開き式の扉を有し、換気装置が框の見込み寸法内に納まっていることを特徴とする。
【０００６】
本発明の建具は、換気装置は、室外側端部に設けた室外側扉重合片と、見込方向の中間部に設けた室内側扉重合片を有し、室外側扉重合片と室内側扉重合片に扉に当接するタイト材をそれぞれ設けてあることを特徴とする。
本発明の建具は、室外側と室内側の二つの扉重合片が扉と重合すると共に、各扉重合片に扉に当接するタイト材が設けてあることで、扉の周囲からの風雨の吹き込みを確実に防止できる。
【０００７】
本発明の建具は、扉の周囲の枠材のうち扉の回転軸側に位置する枠材は、室外側扉重合片と室内側扉重合片を有し、室内側扉重合片に扉の回転軸を受ける軸受け部が設けてあり、軸受け部の室内側に扉に当接するタイト材が設けてあることを特徴とする。
この構成によれば、扉の回転軸と枠材の軸受け部の間に雨水が浸入しても、軸受け部の室内側に扉に当接するタイト材が設けてあることで、室内まで雨水が浸入しない。
【発明の効果】
【０００８】
請求項１記載の発明による建具は、障子の框の内周側に沿って換気装置を有し、換気装置は、室外に面した換気口と、換気口を開閉する内開き式の扉を有し、換気装置を框の見込み寸法内に納めたことで、内障子と外障子のどちらにも換気装置を取付けることができる。
【図面の簡単な説明】
【０００９】
【図１】図５のＡ−Ａ断面図である。
【図２】図５のＢ−Ｂ断面図である。
【図３】図５のＢ−Ｂ断面図であって、換気装置の扉を開けた状態を示す。
【図４】扉の操作部の側面図である。
【図５】本発明の建具の第１実施形態を示す室内側正面図である。
【図６】本発明の建具の第２実施形態を示す室内側正面図である。
【図７】図６のＣ−Ｃ断面図である。
【図８】図６のＤ−Ｄ断面図である。
【図９】本発明の建具の第３実施形態を示す室内側正面図である。
【図１０】図９のＥ−Ｅ断面図である。
【図１１】本発明の建具の第４実施形態を示す室内側正面図である。
【図１２】図１１のＦ−Ｆ断面図である。
【図１３】図１１のＦ−Ｆ断面図であって、換気装置の扉を開けた状態を示す。
【図１４】図１１のＧ−Ｇ断面図である。
【図１５】（ａ）は第４実施形態の建具の換気装置の扉の操作部の周辺を拡大して示す室内側正面図であり、（ｂ）はＨ−Ｈ断面図である。
【図１６】本発明の建具の第５実施形態を示す室内側正面図である。
【図１７】本発明の建具の第６実施形態を示す室内側正面図である。
【図１８】図１７のＨ−Ｈ断面図である。
【図１９】図１７のＩ−Ｉ断面図である。
【図２０】同建具の換気装置の扉の操作部を示す室内側正面図であって、（ａ）は施錠時の状態、（ｂ）は解錠時の状態を示している。
【図２１】同建具の換気装置の扉を開けた状態を示す横断面図である。
【図２２】本発明の建具の第７実施形態を示す室内側正面図である。
【図２３】図２２のＪ−Ｊ断面図である。
【図２４】図２２のＫ−Ｋ断面図である。
【発明を実施するための形態】
【００１０】
以下、本発明の実施の形態を図面に基づいて説明する。図１〜５は、本発明の建具の第１実施形態を示している。本建具は、図５に示すように、躯体開口部に取付けられる枠１と、枠１内に引違い状に開閉自在に収めた内障子２ａと外障子２ｂを備える。枠１は、アルミニウム合金の押出形材よりなる上枠１０と下枠１１と左右の縦枠１２，１２とを四周枠組みして構成されている。外障子２ｂは、上框１３と下框１４と戸先框３と召合せ框１５を四周框組みし、その内側にガラスパネル（複層ガラス）２３を嵌め込んで構成してある。内障子２ａは、上框１３と下框１４と戸先框３と召合せ框１５を四周框組みすると共に、戸先框３の内周側に沿って換気装置４を設け、上框１３と下框１４と召合せ框１５と換気装置４とで形成される開口部にガラスパネル２３を嵌め込んで構成してある。
【００１１】
換気装置４は、図１，２，５に示すように、一対の長尺枠材１６ａ，１６ｂと一対の短尺枠材１７ａ，１７ｂとを四周枠組みしてなり、室外に面した換気口５を有する枠１８と、枠１８に取付けられ換気口５を開閉する内開き式の扉６とを備えるユニットになっている。
枠１８は、図１，２に示すように、内障子２ａの見込み内に納まっており、枠１８の室外側面は内障子２ａの框３，１３，１４の室外側面と略面一であり、枠１８の室内側面は内障子２ａの框３，１３，１４の室内側面と略面一である。扉６は、枠１８の見込み内に納まっており、扉６の室内側面が枠１８の室内側面と面一になっている。
外周側の長尺枠材１６ａの外周部には、図２に示すように、戸先框３のガラス保持溝１９内に挿入すると弾発的に係止して抜け止めされる一対の係止片２０，２０を有し、室内側の係止片２０にはパッキン２１が設けてある。内周側の長尺枠材１６ｂの内周部には、ガラス保持溝２２が戸先框３のガラス保持溝１９と同じ溝幅で形成されており、そのガラス保持溝２２にガラスパネル２３の端部を挿入し、シール材２４で固定してある。上下の短尺枠材１７ａ，１７ｂは、図１に示すように、外周部に上框１３と下框１４のガラス保持溝１９内にそれぞれ挿入係止される一対の係止片２５，２５を有している。
枠１の換気口５には、外部カバー２６が取付けてある。外部カバー２６は、横長のスリット孔２７が上下方向に間隔をおいて多数形成してあり、室内側面に図示しない花粉・防塵フィルターが取付けてある。外部カバー２６は、左右両側に設けた突起２８を長尺枠材１６ａ，１６ｂの室外側壁の室内側に係止すると共に、上下端部に設けた突起２９を短尺枠材１７ａ，１７ｂの室外側壁の室外側に係止して、換気口５から脱落しないようにしてある。
【００１２】
扉６は、図１，２に示すように、アルミ製の形材３０の上下端部に樹脂製の端部キャップ３１ａ，３１ｂを取付けて構成してある。端部キャップ３１ａ，３１ｂは略板状に形成され、形材３０の上下端部に嵌合取付けしてあり、形材３０の小口をカバーしている。形材３０は、図２に示すように、外周側面に回転軸３２が長手方向に沿って設けてあり、回転軸３２を外周側の長尺枠材１６ａに設けた軸受け部３３と抜け止め部材３４間に係止することで、図３に示すように、扉６が回転軸３２を支点として室内側に回動自在となっている。
形材３０の室内側面には、内障子２ａの内周側に延出する延出部３５を有し、延出部３５の室内側面に扉６を開閉操作するための操作部９を取付けてある。操作部９は、図４に示すように、横軸３６を支点に回動自在に設けたロック片３７を有し、ロック片３７の室内側端部にはツマミ３８が設けてあり、ロック片３７の室外側端部には内周側の短尺枠材１６ｂに取付けたロック受け３９に係脱する係合部４０が設けてある。図４中に実線で示すように、ツマミ３８を下位置にしたときは係合部４０がロック受け３９と係合し、扉６が閉鎖状態でロックされている。図４中に二点鎖線で示すように、ツマミ３８を上位置に動かすと、係合部４０がロック受け３９から外れるので、そのままツマミ３８を持って室内側に引くことで、扉６を開けることができる。
【００１３】
図１，２に示すように、各枠材１６ａ，１６ｂ，１７ａ，１７ｂの室外側壁の内周側端部には、室内側に向けてタイト材４１が設けてあり、閉鎖した扉６の室外側面にタイト材４１が圧着している。
上下の短尺枠材１７ａ，１７ｂの室内側壁の内周部には、図１に示すように、タイト材４２が内周側に向けて設けてあり、扉６の上下の端部キャップ３１ａ，３１ｂの室内側端部にこのタイト材４２が当接している。また、内周側の長尺枠材１６ｂの室内側壁の内周部にも、図２に示すように、タイト材４３が内周側に向けて設けてあり、扉６の形材３０の延出部３５の先端部室外側にこのタイト材４３が当接している。これらのタイト材４１，４２，４３により、枠１８と扉６間の水密性・気密性が確保されている。
【００１４】
本建具は、図１，２に示すように、扉６の形材３０の室内側面に凹部７が長手方向に沿って設けてあり、凹部７の下部より室外に連通する排水経路８が設けてある。より詳細には、扉６の下側の端部キャップ３１ｂに、形材３０の凹部７内の領域の室外側縁に沿う形で排水孔４４が設けてあり、下側の短尺枠材１７ｂの見込み壁にも排水孔４５が設けてある。端部キャップ３１ｂの排水孔４４は、タイト材４２の室外側に位置している。さらに、下框１４にはガラス保持溝１９内に浸入した水を室外に排水するための排水孔４６ａ，４６ｂが設けてある。したがって、扉６の室内側面に結露水４７が発生すると、その結露水４７は形材３０の凹部７を伝って流下した後、上述の排水孔４４，４５，４６ａ，４６ｂを順次流れ落ちて室外へと排水される。
【００１５】
以上に述べたように本建具は、内障子２ａの戸先框３の内周側に沿って換気装置４を有し、換気装置４は、室外に面した換気口５と、換気口５を開閉する内開き式の扉６を有し、扉６は、室内側面に凹部７を長手方向に沿って有し、凹部７の下部より室外に連通する排水経路８が設けてあることで、換気装置４に生じた結露水４７を排水経路８から室外に排水できる。よって、換気装置４に生じた結露水で室内の床等が濡れるのを防止できる。
扉６が形材３０と、形材３０の上下端部に取付けた端部キャップ３１ａ，３１ｂを有し、扉６の周囲の枠１８に端部キャップ３１ａ，３１ｂに当接するタイト材４２を有し、下側の端部キャップ３１ｂの凹部７内の領域に排水孔４４が設けてあることで、扉を簡単に製作できると共に、扉６とその周囲の枠１８との間の水密性・気密性が良好になる。
換気装置４は、四周枠組みした枠１８に扉６を組み込んでユニット化してあり、枠１８の周囲の四方の縁部のうち内障子２ａの框３，１３，１４と連続する三方の縁部には、内障子２ａの框３，１３，１４のガラス保持溝１９内に挿入係止される係止片２０，２５が設けてあり、残る一方の縁部にはガラス保持溝２２が形成してあるので、内障子２ａを組み立てる際に換気装置４を容易に取付けできる。また、もともと換気装置の付いていない障子を一旦ばらして換気装置４を組み込み、新しいガラスを取り付けることで、既存の障子を換気装置４付きの障子に改修することも容易である。
また換気装置４は、扉６を内開き式に開くことで換気口５を全開することが可能なため、従来の換気框のようにスライド式に開閉するものと比べて換気量を多くすることができ、換気効率が良い。
【００１６】
図６〜８は、本発明の建具の第２実施形態を示している。第１実施形態では、換気装置４を縦向きにして内障子２ａの戸先框３の内周側に沿って配置していたが、本実施形態では換気装置４を横向きにして内障子２ａの上框１３の内周側に沿って配置している。換気装置４は、長手方向の長さ寸法が異なるだけで第１実施形態のものと同じ構造のものであり、枠１８や扉６に使用している形材も第１実施形態のものとほとんど共通である（扉６の開き勝手が異なる関係で、長尺枠材１６ａ，１６ｂのみが若干異なる。）。扉６は、図７に示すように、回転軸３２が下側に設けられ、回転軸３２を支点として内倒し式に開くようになっている。なお、換気装置４を横向きに設置する場合は、縦向きに設置する場合ほど結露水を排水する必要性がないため、第１実施形態のような結露水を室外に排出するための対策はとられていない。
【００１７】
図９，１０は、本発明の建具の第３実施形態を示している。本実施形態では、第２実施形態と同様に換気装置４を横向きとし、上框１３ではなく下框１４の内周側に沿って換気装置４を配置してある。このタイプでは、長尺枠材１６ａ，１６ｂも第１実施形態と共通化できる。
【００１８】
このように本建具は、換気装置４の枠１８や扉６を構成する部材の兼用化を図りつつ、換気装置４を縦向きと横向きの何れの向きでも設置することができ、横向きの場合に上下何れにも設置できる（上下両方に設置することもできる）ので、低コストで換気装置４の取付位置にバリエーションを持たせられ、合理的である。
【００１９】
図１１〜１５は、本発明の建具の第４実施形態を示している。本実施形態は、図１１に示すように、第１実施形態と同様に、換気装置４を縦向きとし、戸先框３の内周側に沿って換気装置４を取付けている。第１実施形態では、内障子２ａにだけ換気装置４を取付けていたが、本実施形態では内障子２ａと外障子２ｂの両方に換気装置４を取付けている。
【００２０】
本実施形態の建具の換気装置４は、図１２に示すように、扉６の形材３０と操作部９が第１実施形態と異なっており（枠１８は第１実施形態と共通）、操作部９を含めて換気装置４全体が框３，１３，１４の見込み寸法内に納まっている。扉６の形材３０は、室内側面に凹部７を長手方向に沿って設けてあり、凹部７内の空間を利用して操作部９を設けることで、操作部９が扉６の室内側面から飛び出さないようにしている。操作部９は、図１５に示すように、凹部７の底壁に形成した孔に嵌め込んでネジで固着されるハウジング５０と、ハウジング５０の前面に設けられたボタン４８及び引手４９と、ハウジング５０の後方に設けられ室内外方向の軸を支点に回動するロック片３７を備えており、ハウジング５０の前部の板状の部分５０ａが凹部７内の空間に配置されている。ロック片３７がロック受け３９と係合したロック状態では、引手４９が操作部９の前面と面一になっており、ボタン４８を押すと、図１５中に二点鎖線で示すように、ロック片３７が回動してロック受け３９から外れると共に、引手４９が前方に飛び出し、引手４９を持って扉６を開閉操作することができる。
【００２１】
このように本実施形態の建具は、換気装置４を扉６の操作部９も含めて障子２ａ，２ｂの框３，１３，１４の見込み寸法内に納めたことで、換気装置４を外障子２ｂにも設けることが可能となり、内外障子２ａ，２ｂの両方に換気装置４を設けることで、換気効率をより一層向上することができる。扉６の室内側面に凹部７を長手方向に沿って設け、凹部７内の空間を利用して操作部９を設けることで、操作部９を扉６の室内側に飛び出さないように設置するのが容易である。
【００２２】
図１６は、本発明の建具の第５実施形態を示している。本実施形態は、換気装置４を横向きとし、内外両方の障子２ａ，２ｂの上框１３の内周側に沿って換気装置４を配置している。換気装置４は、第４実施形態のものと同様に、扉６の操作部９も含めて全体が框３，１３，１４の見込み寸法内に納まっており、そのため外障子２ｂに換気装置４を設けても障子２ａ，２ｂの開閉に支障がない。
図示のものは、上框１３の内周側に沿って換気装置４を配置しているが、図９に示す第３実施形態のように、下框１４の内周側に沿って換気装置４を配置することもできる。
【００２３】
図１７〜２１は、本発明の建具の第６実施形態を示している。本建具は、第１実施形態と同様に、換気装置４を内障子２ａの戸先框３の内周側に沿って配置してある。換気装置４の四周の枠材１６ａ，１６ｂ，１７ａ，１７ｂは、図１８，１９に示すように、室外側端部に室外側扉重合片５１ａ，５１ｂ，５１ｃ，５１ｄが、見込方向の中間部に室内側扉重合片５２ａ，５２ｂ，５２ｃ，５２ｄがそれぞれ枠１８の内周側に突出して形成してあり、室外側扉重合片５１ａ，５１ｂ，５１ｃ，５１ｄ及び室内側扉重合片５２ａ，５２ｂ，５２ｃ，５２ｄの先端部には、タイト材５３，５４がそれぞれ室内側に向けて取付けてある。
内周側の長尺枠材１６ｂは、図１８に示すように、ガラス保持溝２２の外周側に中空部５５が設けてある。外周側の長尺枠材１６ａは、室内側扉重合片５２ｂに扉６の回転軸３２を受ける軸受け部３３が設けてあり、軸受け部３３の室内側に扉６に当接するタイト材５４が設けてある。扉６の回転軸３２は、扉６の見込み方向の略中央部に位置している。扉６は、図１８，１９に示すように、室内側端部に左右方向及び上下方向に延出する延出部５６ａ，５６ｂ，５６ｃ，５６ｄを有し、延出部５６ａ，５６ｂ，５６ｃ，５６ｄの室外側面にタイト材５４がそれぞれ圧着している。
下側の短尺枠材１７ｂは、図１９に示すように、換気装置４内に浸入した水を一時的に溜めることのできる中空部５７が設けてある。中空部５７の内周側（上側）の壁には、図１９，２１に示すように、換気装置４内に浸入した水を前記中空部５７に落すための水抜き孔５８が設けてある。中空部５７の室外側の壁の下部には、図１９に示すように、中空部５７に溜まった水を室外に排水するための排水孔５９が設けてあり、排水孔５９には排水弁６０が取付けてある。また、中空部５７の室内側壁の上部には、扉６に生じた結露水を受ける結露水受け部６１が室内側に突出して設けてあり、結露水受け部６１の室外側に隣接して形成された傾斜面６２に排水弁６３が設けてあり、結露水受け部６１で受けた結露水はこの排水弁６３を通じて中空部５７へと導かれる。
換気装置４の枠１８は、図１８，１９に示すように、結露水受け部６１が室内側に突出しているのを除いて、内障子２ａの見込み寸法内に納まっている。換気装置４の扉６は、枠１８の見込寸法内に納まっている。
【００２４】
扉６は、図１８に示すように、室内側面が凹部７を有しないフラットな面となっており、上下方向の中間部の室内側面に操作部９が取付けてある。操作部９は、いわゆる平面ハンドルを用いたものであり、扉６の室内側面に形成した孔から中空部６４内に埋め込んで固定されるハウジング５０と、ハウジング５０の前面に設けたボタン４８及び引手４９と、ハウジング５０の後方に設けたロック片３７を有している。引手４９は、ハウジング５０の室内側面と面一となるように収納されており、ボタン４８を押すと室内側に飛び出すようになっている。このように、操作部９に平面ハンドルを用いることで、扉６の室内側面に凹部７がなくても、操作部９が内障子２ａの室内側に飛び出さないようにできる。
図１７，１８に示すように、扉６の中空部６４の内周側の壁には、連動棒６５が上下方向に摺動可能に保持してあり、連動棒６５は操作部９のロック片３７と係合している。内周側の長尺枠材１６ｂの外周側面には、上部と中間部と下部の３箇所にロックピン６６が取付けてあり、連動棒６５には各ロックピン６６と係合するロック受け６７が取付けてある。すなわち扉６は、上部と中間部と下部の３カ所でロックされている。扉６を開ける際には、操作部９のボタン４８を押して引手４９を室内側に飛び出させ、図２０（ｂ）に示すように、引手４９を反時計回りに回動させるとロック片３７がそれに連動して回動し、ロック片３７を介して連動棒６５が下方にスライドして３カ所のロック受け６７が一斉にロックピン６６から外れるので、後は引手４９を引くことで扉６を開けることができる。
【００２５】
図２２〜２４は、本発明の建具の第７実施形態を示している。換気装置４は、内障子２ａではなく外障子２ｂの戸先框３の内周側に沿って設けてある。換気装置４は、基本的に第６実施形態のものと同じものであり、第６実施形態のものとは左右勝手違いになっている（図１８，２３参照）。図２４に示すように、換気装置４の下側の短尺枠材１７ｂは結露水受け部６１を無くしてあり、扉６の操作部９は第６実施形態と同じく平面ハンドルを用いており、換気装置４は全体が外障子２ｂの見込み寸法内に納まっている。したがって、外障子２ｂ又は内障子２ａを開けたときに換気装置４が内障子２ａと干渉することがなく、換気装置４によって建具の最大開口幅が狭められない。
【００２６】
以上に述べたように、第６実施形態及び第７実施形態の建具は、換気装置４の扉６の周囲の枠材１６ａ，１６ｂ，１７ａ，１７ｂに、室外側端部に設けた室外側扉重合片５１ａ，５１ｂ，５１ｃ，５１ｄと、見込方向の中間部に設けた室内側扉重合片５２ａ，５２ｂ，５２ｃ，５２ｄを有し、室外側扉重合片５１ａ，５１ｂ，５１ｃ，５１ｄと室内側扉重合片５２ａ，５２ｂ，５２ｃ，５２ｄに扉６に当接するタイト材５３，５４をそれぞれ設けてあることで、水密性を向上することができ、扉６の周囲からの風雨の吹き込みを確実に防止できる。
特に、扉６の回転軸３２側に位置する枠材（長尺枠材１６ａ）は、室内側扉重合片５２ｂに扉６の回転軸３２を受ける軸受け部３３が設けてあり、軸受け部３３の室内側に扉６に当接するタイト材５４が設けてあることで、扉６の回転軸３２と枠材１６ａの軸受け部３３の間に雨水が浸入しても、軸受け部３３の室内側のタイト材５４が雨水を堰き止めるので、室内まで雨水が浸入しない。
ガラス間口側の枠材（長尺枠材１６ｂ）は、ガラス保持溝２２の外周側に中空部５５を設けたので、ガラスパネル２３に強い風圧を受けても同枠材１６ｂが撓み難い上、中空部５５の外周側に室外側扉重合片５１ａと室内側扉重合片５２ａを有し、室外側扉重合片５１ａと室内側戸重合片５２ａに扉６に当接するタイト材５３，５４がそれぞれ設けてあるので、耐風圧性・水密性が優れている。
さらに換気装置４は、扉６の戸先部を上下方向の複数箇所でロックすることで、ガラス間口側の枠材１６ｂに中空部５５を設けたことと相まって、耐風圧性をより一層高めることができる。
下側の枠材（短尺枠材１７ｂ）は、図１９，２４に示すように、換気装置４内に浸入した水を溜める中空部５７を有し、中空部５７の室外側の壁に排水孔５９が設けてあることで、換気装置４内に浸入した水を、図中の矢印６８に示すように、障子下框１４のガラス保持溝１９を通さずに室外に排水できるので、排水性が良い。
さらに第６実施形態は、下側の枠材１７ｂに結露水受け部６１を有しており、結露水受け部６１で受けた結露水を中空部５７へと導き、中空部５７の室外側の排水孔５９から室外に排水することができる。
扉６の操作部９に平面ハンドルを用いることで、操作部９が障子２ａ，２ｂの框３，１３，１４よりも室内側に飛び出さず、換気装置４を内障子２ａと外障子２ｂのどちらにも設けることができる。
【００２７】
本発明は以上に述べた実施形態に限定されない。換気装置の枠や扉の形状、材質等は、適宜変更することができる。換気装置は、枠と扉は框の見込寸法内に納まっている必要があるが、操作部は、障子の開閉に支障がなければ、框よりも室内側に飛び出していてもよい。障子は、枠に固定した嵌め殺し障子であってもよい。本発明は、引違い窓に限らず、片引き窓、開き窓、玄関戸など、あらゆる建具に適用することができる。
【符号の説明】
【００２８】
１  枠
２ａ  内障子（障子）
２ｂ  外障子（障子）
３  戸先框（縦框、框）
４  換気装置
５  換気口
６  扉
７  凹部
８  排水経路
９  操作部
１３  上框（框）
１４  下框（框）
１８  扉の周囲の枠
３０  扉の形材
３１ａ，３１ｂ  端部キャップ
４２  タイト材
４４  排水孔
【図１】
2017089367.tif 000003
【図２】
2017089367.tif 000004
【図３】
2017089367.tif 000005
【図４】
2017089367.tif 000006
【図５】
2017089367.tif 000007
【図６】
2017089367.tif 000008
【図７】
2017089367.tif 000009
【図８】
2017089367.tif 000010
【図９】
2017089367.tif 000011
【図１０】
2017089367.tif 000012
【図１１】
2017089367.tif 000013
【図１２】
2017089367.tif 000014
【図１３】
2017089367.tif 000015
【図１４】
2017089367.tif 000016
【図１５】
2017089367.tif 000017
【図１６】
2017089367.tif 000018
【図１７】
2017089367.tif 000019
【図１８】
2017089367.tif 000020
【図１９】
2017089367.tif 000021
【図２０】
2017089367.tif 000022
【図２１】
2017089367.tif 000023
【図２２】
2017089367.tif 000024
【図２３】
2017089367.tif 000025
【図２４】
2017089367.tif 000026